(57)【要約】  本発明は、少なくとも1つの多孔質材料から少なくとも部分的に作られた、化粧製品、特にクレンジングまたはケア製品用のアプリケータに関し、このアプリケータは、  -  特に少なくとも部分的にオープンセル状である、第1の面(11)と、  -  第1の面(11)と反対側の、特に少なくとも部分的にオープンセル状である、第2の面と、  -  第1および第2の面によって区切られた内部部分(13)とを含み、第1および第2の面のうちの少なくとも一方、さらに良好には両方の面が、多孔質材料の少なくとも部分的なフェルト化処理から生じ、このアプリケータは、一方の部分では、第1および第2の面のうちの少なくとも一方、さらに良好には両方の面と、他方の部分では、アプリケータの内部部分(13)との間で、気孔率勾配を有する。
2019521818.tif 000002
【特許請求の範囲】
【請求項１】
少なくとも1つの多孔質材料から少なくとも部分的に作られた、化粧製品(C)、特にクレンジングまたはケア製品用のアプリケータ(10)であって、
-  特に少なくとも部分的にオープンセル状である、第1の面(11)と、
-  前記第1の面(11)と反対側の、特に少なくとも部分的にオープンセル状である、第2の面(12)と、
-  前記第1および第2の面によって区切られた内部部分(13)と
を含み、
前記第1および第2の面のうちの少なくとも一方、さらに良好には両方の面が、前記多孔質材料の少なくとも部分的なフェルト化処理から生じ、
前記アプリケータが、一方の部分では、前記第1および第2の面(11、12)のうちの少なくとも一方、さらに良好には両方の面と、他方の部分では、前記アプリケータの前記内部部分(13)との間で、気孔率勾配を有し、
前記第1および第2の面(11、12)が非平面である、
アプリケータ。
【請求項２】
前記アプリケータが、前記第1の面(11)において、前記第1の面(11)と前記アプリケータの前記内部部分(13)との間に気孔率勾配を有する、請求項1に記載のアプリケータ。
【請求項３】
前記アプリケータが、前記第2の面(12)において、前記第2の面(12)と前記アプリケータの前記内部部分(13)との間に気孔率勾配を有する、請求項1または2に記載のアプリケータ。
【請求項４】
前記第1の面(11)および前記第2の面(12)のうちの少なくとも一方、さらに良好には両方の面が、少なくとも部分的にオープンセル状である、請求項1から3のいずれか一項に記載のアプリケータ。
【請求項５】
前記アプリケータが小石の形状である、請求項1から4のいずれか一項に記載のアプリケータ。
【請求項６】
前記第1および第2の面(11、12)が、一様でないフェルト化処理を受けている、請求項1から5のいずれか一項に記載のアプリケータ。
【請求項７】
前記第1および第2の面(11、12)のうちの少なくとも一方が、少なくとも1つのレリーフ、特に英数字形状のレリーフを含む、請求項1から6のいずれか一項に記載のアプリケータ。
【請求項８】
中心部分(17)を囲む外縁部分(16)を含み、前記中心部分(17)がオープンセルを有しない、または前記外縁部分(16)よりも少ないオープンセルを有する、請求項1から7のいずれか一項に記載のアプリケータ。
【請求項９】
前記中心部分(17)が、特に0.5mmから3mmの間、さらに良好には0.5mmから2mmの間の厚さ(f)をもつ、平面壁の形である、請求項8に記載のアプリケータ。
【請求項１０】
前記外縁部分(16)が、円形、楕円形、または多角形、特に三角形、長方形、もしくは正方形の全体形状をもつ輪郭を有する、請求項8または9に記載のアプリケータ。
【請求項１１】
前記アプリケータの前記材料のうちの少なくとも1つが、ポリウレタン(PU)である、請求項1から10のいずれか一項に記載のアプリケータ。
【請求項１２】
前記第1の面(11)と前記第2の面(12)との間の、前記内部部分(13)に形成された内部空洞(20)を含む、請求項1から11のいずれか一項に記載のアプリケータ。
【請求項１３】
前記内部空洞(20)に入れられた化粧製品(C)を含む、請求項12に記載のアプリケータ。
【請求項１４】
多孔質材料のブロック(B)が、少なくとも前記第1および第2の互いに反対側にある面(11、12)を形成するために、少なくとも部分的なフェルト化処理を受ける、請求項1から13のいずれか一項に記載のアプリケータ(10)を製造するための方法。
【請求項１５】
少なくとも1つの多孔質材料から少なくとも部分的に作られた、化粧製品、特にクレンジングまたはケア製品用のアプリケータ(10)を製造するための方法であって、多孔質材料のブロック(B)が、少なくとも
-  特に少なくとも部分的にオープンセル状である、第1の面(11)と、
-  前記第1の面(11)と反対側の、特に少なくとも部分的にオープンセル状である第2の面(12)と
を形成するために、および
-  前記第1および第2の面によって区切られた内部部分(13)
を形成するために、少なくとも部分的なフェルト化処理を受け、
前記アプリケータが、一方の部分では、前記第1および第2の面(11、12)のうちの少なくとも一方、さらに良好には両方の面と、他方の部では、前記アプリケータの前記内部部分(13)との間で、気孔率勾配を有する、
方法。
【請求項１６】
前記フェルト化処理が、少なくとも温度勾配および/または圧縮勾配の適用を含む、請求項14または15に記載の方法。
【請求項１７】
前記フェルト化処理が、10秒を超える、さらに良好には30秒を超える時間の間、適用される、請求項14から16のいずれか一項に記載の方法。
【請求項１８】
前記フェルト化処理が、前記第1および第2の面(11、12)の表面にわたって一様でない、請求項14から17のいずれか一項に記載の方法。
【請求項１９】
前記アプリケータが、中心部分(17)を囲む外縁部分(16)を含み、前記中心部分(17)が、前記外縁部分(16)よりも広範なフェルト化処理を受けている、請求項14から18のいずれか一項に記載の方法。
【発明の詳細な説明】
【技術分野】
【０００１】
本発明は、化粧製品アプリケータに関する。「化粧製品」という表現は、化粧製品に関する2009年11月30日の欧州議会および理事会のEC規制No. 1223/2009において規定される組成物を示す。本発明は、詳細には、化粧製品の塗布に関し、詳細には、たとえば、メーキャップ除去またはマニキュア液除去のための、クレンジングまたはケア製品の塗布に関する。
【背景技術】
【０００２】
化粧製品は、液状の、たとえば、水性または油性の製品であってもよい。変形態では、化粧製品は、ペースト、または粉末、または2相の石鹸である。
【０００３】
本発明は、特に、少なくとも1つの多孔質材料から少なくとも部分的に作られ、互いに反対側にある2つの塗布面を有するアプリケータに関する。
【０００４】
特許出願EP 0 790 017は、外縁隆起を含む、フロック加工したパウダーパフを開示する。一実施形態では、パウダーパフは、発泡体の概観を与える細孔を含んでもよい。
【０００５】
EP 2 237 932およびWO 2009/090577は、1つの面によって皮膚に流体を分与するために、圧縮勾配を有する発泡体から作られたパッドを含む除毛器に関する。それは、異なる圧縮比を有する複数の発泡体の合成によって、または発泡体をいくつかの圧縮の程度に圧縮することによって、形成される。EP 2 227 109およびWO 2009/090578についても同様である。
【０００６】
FR 2 951 919の主題は、液体を通さないが、気体を通し、塗布表面のないフィルタである。
【０００７】
WO 03/097476は、流れる組成物を塗布するためのパッケージであって、加熱および圧縮によってその外縁で漏れない貯蔵器に溶着されたアプリケータパッドを備えるパッケージに関する。
【０００８】
FR 2 836 029は、発泡体またはフェルトを含んでもよい含浸部材を用いて爪に製品を塗布するための機器に関する。
【０００９】
EP 1 094 011では、アプリケータ部材は、特に、スポンジまたはオープンセルもしくは半オープンセルの発泡体の塊によって形成されてもよく、その塗布表面近くにフェルトまたは焼結材料を含んでもよい。
【先行技術文献】
【特許文献】
【００１０】
【特許文献１】EP 0 790 017
【特許文献２】EP 2 237 932
【特許文献３】WO 2009/090577
【特許文献４】EP 2 227 109
【特許文献５】WO 2009/090578
【特許文献６】FR 2 951 919
【特許文献７】WO 03/097476
【特許文献８】FR 2 836 029
【特許文献９】EP 1 094 011
【特許文献１０】US 8 247 466
【特許文献１１】US 6 841 586
【発明の概要】
【発明が解決しようとする課題】
【００１１】
塗布およびメーキャップ除去またはクレンジングをより容易にするために、少なくとも1つの多孔質材料から少なくとも部分的に作られたアプリケータを改善する必要がある。
【００１２】
塗布時に十分な精度を提供すること、および狭い表面と大きい表面の両方に製品を塗布できるようにすることが望ましい。
【００１３】
美学、衛生学、および人間工学の分野で新しい機会を提供するアプリケータの恩恵を受ける必要もある。
【００１４】
化粧製品を塗布するための新しい手の動きへの関心もある。
【課題を解決するための手段】
【００１５】
本発明は、これらの必要の全部または一部を満たすことを目指し、したがって、その主題は、その態様の1つによれば、少なくとも1つの多孔質材料から少なくとも部分的に作られた、化粧製品、特にクレンジングまたはケア製品用のアプリケータであって、このアプリケータは、
-  特に少なくとも部分的にオープンセル状(open-celled)である、第1の面と、
-  第1の面と反対側の、特に少なくとも部分的にオープンセル状である、第2の面と、
-  第1および第2の面によって区切られた内部部分とを含み、
第1および第2の面のうちの少なくとも一方、さらに良好には両方の面が、多孔質材料の少なくとも部分的なフェルト化(felting)処理から生じ、
このアプリケータは、一方の部分では、第1および第2の面のうちの少なくとも一方、さらに良好には両方の面と、他方の部分では、アプリケータの内部部分との間で、気孔率勾配(porosity gradient)を有する。
【００１６】
フェルト化処理は、熱間圧縮から生じ、材料が裂かれる、または切り刻まれるようにする場合がある研削とは対照的に、多孔性オープンセル材料がその構造を損なわれることなく高速で成形されることを可能にする。
【００１７】
フェルト化処理は、処理される面により低い気孔率の「外皮」を得ることを可能にする。この外皮は、0.2mmから3mmの間、さらに良好には0.3mmから2mmの間、さらには0.5mmから1mmの間の厚さを有してもよい。
【００１８】
より高い気孔率を有する内部部分は、製品の蓄えを形成し、したがってアプリケータの自律性を拡大することを可能にすることがある。
【００１９】
フェルト化処理は、処理される面に柔軟効果を与えることがある。
【００２０】
最後に、本発明によるアプリケータは、必要な場合、使用される多孔質材料の選択に応じて、クレンジングおよびメーキャップ除去に役立つ粗い表面を生成することを可能にすることがある。
【００２１】
本発明によるアプリケータは、有利には2つの塗布面を備える。この場合、第1の面は塗布に役立ってもよく、第2の面も同様であってもよい。
【００２２】
上記とは無関係に、または上記と組み合わせて、本発明のさらなる主題は、少なくとも1つの多孔質材料から少なくとも部分的に作られた、化粧製品、特にクレンジングまたはケア製品用のアプリケータであって、このアプリケータは、
-  特に少なくとも部分的にオープンセル状である、好ましくは完全オープンセル状である、第1の面と、
-  第1の面と反対側の、特に少なくとも部分的にオープンセル状である、好ましくは完全オープンセル状である、第2の面と、
-  第1の面および第2の面によって区切られた内部部分と
を含み、
第1および第2の面の各々が、多孔質材料の少なくとも部分的なフェルト化処理から生じる。
【００２３】
そのようなアプリケータが、一方の部分では、第1および第2の面のうちの少なくとも一方、さらに良好には両方の面と、他方の部分では、アプリケータの内部部分との間で、気孔率勾配を有してもよい。
【００２４】
フェルト化処理
フェルト化処理は、多孔質材料が、温度の上昇とともに、型、特に金属の型において永久的に圧縮される、熱成形工程である。
【００２５】
温度の上昇を確実にするために、型の全体は、1つの同じ温度、たとえば、180℃から250℃の間に加熱されてもよい。温度の上昇は、たとえば、PUを多孔質材料として210℃までであってもよい。
【００２６】
圧縮度(または、最初の厚さと最終的な厚さの比に対応するフェルト化比)は、フェルト化された多孔質材料の物理的特性、ならびに特にその密度および液体とそれとの相互作用を決定する。圧縮度またはフェルト化比は、一般的に、3から100の間、特に5から70の間、さらに良好には10から50の間であってもよい。
【００２７】
フェルト化処理は、10秒を超える、さらに良好には30秒を超える、さらに一層良好には60秒を超える時間の間、適用されてもよい。処理は、5秒未満、さらに良好には3秒未満、さらに一層良好には2秒未満の時間の間、適用されてもよい。処理は、5分未満、さらに良好には3分未満、さらに一層良好には2分未満の時間の間、適用されてもよい。一実施形態では、フェルト化処理は、たとえば1分30秒の間続いてもよい。
【００２８】
適用される処理は、たとえば以下のステップを含んでもよい。
-  多孔質材料をカットするステップ、
-  型の温度を上昇させるステップ、
-  型を開けるステップ、
-  多孔質材料のブロックを型に挿入するステップ、
-  型を閉じるステップ、
-  待つステップ、
-  型を開けるステップ。
【００２９】
適用される処理は、多孔質材料の細孔のサイズを縮小することを可能にしてもよい。
【００３０】
使用されるフェルト化方法は、たとえば、特許US 8 247 466に記載されるようであってもよい。
【００３１】
フェルト化方法は、多孔質材料、たとえばポリウレタンフォームが、多孔質材料のシートまたはブロックを、2つの加熱されたプレート間に置くことによって、永久的に圧縮される処理に関係し、材料の圧縮は、圧縮が永久的となるまで行われる。フェルト化された材料は、より優れた毛管作用を有することができ、たとえば、同一の組成物のフェルト化されていない材料よりも、より良く水を排除することが可能になる。圧縮度は、フェルト化後の厚さに対するフェルト化前の厚さであるとして計算される。圧縮度は、一般的に、硬度という用語によって示される。たとえば、その元の厚さの3分の1に圧縮された発泡体は、3という硬度および圧縮度を有する。その最初の厚さの5分の1に圧縮された発泡体は、5という硬度を有する。
【００３２】
圧縮度が十分に高い場合、フェルト化されたポリウレタンフォームが、ドライセルロースワイプの性能に対応することがある。たとえば、特許US 6 841 586は、3から8の間の好ましい圧縮度を教示する。欠点は、所望のドライワイピング結果を得るのに必要な高い圧縮度が、家庭用スポンジ用途でのその意図された使用の場合、製品を法外に高価にすることである。より低い圧縮度のフェルト化された発泡体は、圧縮時間の短縮およびより低いエネルギー消費によって、より低価格であることがある。しかしながら、圧縮度が低すぎる場合、フェルト化された構造は、どこでも形成できるとは限らず、得られた材料は、ドライワイピングに関して所望の結果を得るために水を十分に排出できないことになる。
【００３３】
フェルト化された多孔質材料が、たとえば音響調節器として流体を送るために、または他の一般的な産業用途、たとえば、ろ過機能のために、デジタル画像産業において、インクジェットプリンタのインクの流量を制御するためのコンジットとして、または、オフィス材料、電化消費財、および輸送車両に使用するための吸音材としてもしくは振動減衰材料として、使用される場合がある。
【００３４】
多孔質材料
アプリケータは、形状記憶を有してもよい。アプリケータは、変形後に、その最初の形状に戻ってもよい。アプリケータ材料は、それに応じて選ばれてもよい。
【００３５】
アプリケータは、多孔性の材料、特に注入発泡体、特にポリウレタン(PU)フォームを含んでもよく、特にこれらから構成されてもよい。
【００３６】
アプリケータは、多孔性の材料、特に注入発泡体、たとえば、ポリアミド(ナイロン)フォーム、ポリウレタン(PU)フォーム、ポリアクリロニトリル(PAN)フォーム、ポリエチレン(PE)フォーム、EVAフォーム、PVCフォーム、熱可塑性エラストマーを充填したポリウレタンフォームを含んでもよく、特にこれらから構成されてもよい。
【００３７】
アプリケータの材料のうちの少なくとも1つは、ポリウレタン(PU)であってもよい。
【００３８】
アプリケータは、第1の面において、第1の面とアプリケータの内部部分との間に気孔率勾配を有してもよい。特に気孔率は、第1の面からアプリケータの内部部分の方向に増加する。
【００３９】
アプリケータは、第2の面において、第2の面とアプリケータの内部部分との間に気孔率勾配を有してもよい。特に気孔率は、第2の面からアプリケータの内部部分の方向に増加する。
【００４０】
これらの勾配は、型に置く時間によって、および圧縮度によって決まる。
【００４１】
第1の面および第2の面のうちの少なくとも一方、さらに良好には両方が、少なくとも部分的にオープンセル状であってもよい。第1の面および第2の面のうちの少なくとも一方、さらに良好には両方の面は、特にその表面において完全オープンセル状であってもよい。第1の面は、少なくとも部分的にオープンセル状であってもよい。第2の面は、少なくとも部分的にオープンセル状であってもよい。フェルト化の前または後に、特定のテクスチャが、第1および第2の面の一方または両方に追加されてもよく、たとえば、織布または不織布のフロック加工またはボンディングが追加されてもよい。
【００４２】
アプリケータの形状
第1および第2の面は、互いに反対側にあってもよく、特に直径方向に互いに反対側にあってもよい。第1の面に対する垂線および第2の面に対する垂線は、一致してもよい。
【００４３】
第1および第2の面は、非平面であって、アプリケータはたとえば小石の形状であってもよい。フェルト化処理は、第1および第2の面に非平面の表面を得ることを可能にしてもよい。
【００４４】
第1の面は、外側に向かって凸状であってもよい。第2の面は、外側に向かって凸状であってもよい。変形実施形態では、第1の面は、凹ゾーンと、凸ゾーンとを含む。別の変形態では、または同じ変形実施形態では、第2の面は、凹ゾーンと、凸ゾーンとを含む。
【００４５】
第1および第2の面のうちの少なくとも一方は、少なくとも1つのレリーフ、たとえば英数字形状のレリーフを含んでもよい。前記レリーフは、くぼんでいるまたは突き出している場合がある。アプリケータは、各々が異なる形状を有する少なくとも2つのレリーフを画定してもよい。これらのレリーフは、使用者が、たとえば顔の、接触しにくいいくつかの領域に化粧製品を塗布できるようにしてもよい。一実施形態では、レリーフは、互いに対して非対称である。アプリケータは、対称面Pを有し、対称面Pと垂直な平面Qに対して非対称であってもよい。対称面Pは、アプリケータの2つの部分の間の継目面であってもよく、2つの部分の一方が第1の面を画定し、他方が第2の面を画定する。
【００４６】
アプリケータは、中心部分を囲む外縁部分を含んでもよく、中心部分がオープンセルを有しない、または外縁部分よりも少ないオープンセルを有する。中心部分は、外縁部分よりも広範なフェルト化処理を受けてもよい。「より広範な処理(more extensive treatment)」とは、フェルト化処理がより高温で、および/またはより高圧で、および/またはより長い時間期間の間、行われることを意味する。一実施形態では、それはより高い圧縮度であり、時間および温度は同じままである。広範な処理を受けた中心部分は、外縁部分よりも「よりフェルト化された」と呼ばれる。中心部分は、より押しつぶされており、その表面にはあまり開放していない気泡を有してもよい。対照的に、外縁部分は、「あまりフェルト化されない」、さらにはフェルト化されず、外縁隆起の形状を有してもよい。外縁部分は、加熱されるが、圧縮されなくてもよい。外縁部分は、その表面に閉じた気泡が少なく、またはなく、さらには完全オープンセル状であってもよい。外縁部分の気泡は、中心部分の気泡よりも大きく開放していてもよい。一変形実施形態では、外縁部分は、フェルト化処理を受けない。
【００４７】
中心部分は、特に、0.5mmから3mmの間、さらに良好には0.5mm〜2mmの間、さらには0.5 mm〜1mmの間の厚さを有する、平面壁の形状を有してもよい。
【００４８】
外縁部分は、円形、楕円形、または多角形、特に三角形、長方形、もしくは正方形の全体形状をもつ輪郭を有してもよい。
【００４９】
補足的処理
第1および第2の面のうちの少なくとも一方は、少なくとも部分的なフロック加工、特に完全なフロック加工を含んでもよい。フロック加工は、たとえば、接着剤によって対応する面に固定されたフロックによって実現される。使用される接着剤は、対象とする化粧製品が通過するアプリケータによって塗布できるように、選ばれてもよい。
【００５０】
第1および第2の面のうちの少なくとも一方は、模様またはロゴを刻むためのレーザー彫刻処理を受けてもよい。
【００５１】
内部空洞
アプリケータは、内部空洞がなく、中実であってもよい。
【００５２】
変形態では、アプリケータは、第1の面と第2の面との間の、内部部分に形成された内部空洞を含む。「内部空洞」という表現は、内部空洞が、場合によっては多孔質材料を貫通する1つまたは複数の開口部とは別の、多孔質材料によって少なくとも部分的に、好ましくは全体的に囲まれていることを意味するものと理解されたい。
【００５３】
内部空洞は、50%を超えて、さらには60%を超えて、さらに良好には70%を超えて、さらに一層良好には80%を超えて、多孔質材料によって囲まれる。特定の一実施形態では、内部空洞は、90%を超えて、さらには95%を超えて、多孔質材料によって囲まれる。このレベルは、内部空洞の周囲表面、すなわち内部空洞を確定する多孔質材料の内表面に対して規定される。
【００５４】
内部空洞は、多孔質材料の変形、特に多孔質材料の形状および/または体積の変化を可能にしてもよい。内部空洞は、多孔質材料によってのみ画定されてもよい。
【００５５】
内部空洞は、アプリケータの全体積の少なくとも30%、さらに良好には少なくとも40%、さらに一層良好には少なくとも50%よりも大きい体積を有してもよい。アプリケータの全体積は、アプリケータ全体の外部体積であり、内部空洞の外部体積を含む。
【００５６】
上記で定義した体積は、変形のない、静止時の体積であると理解されたい。
【００５７】
内部空洞の体積は、2mLから15mLの間、さらに良好には3mLから12mLの間、さらに一層良好には4mLから10mLの間、たとえば7mLぐらいであってもよい。
【００５８】
アプリケータの全体積は、3mLから30mLの間、さらに良好には4mLから20mLの間、さらに一層良好には5mLから15mLの間、たとえば9mLぐらいであってもよい。
【００５９】
アプリケータは、その後にフェルト化の型に配置される、多孔質材料の2つのブロックを重ね合わせることによって製造されてもよい。フェルト化の後、2つのブロックがそれらの外縁で互いに溶着され、それによって内部空洞を作成する。一実施形態では、アプリケータには、硬質の支持部分がない。
【００６０】
内部空洞は空であって、単に空気で満たされていてもよい。内部空洞は、特に硬質の支持部分がなくてもよい。
【００６１】
変形態では、アプリケータは、内部空洞に入れられた化粧製品を含んでもよい。化粧製品は、パウダータブレット、ソープボール、水溶性の壁面を含むカプセルであってもよい。一実施形態では、内部空洞は、多孔質要素を収納し、多孔質要素は、化粧製品がしみ込んでいてもよい。
【００６２】
一実施形態では、アプリケータは補充可能である。一実施形態では、空洞を埋めるために、特に新たな量の製品を挿入できるようにするために、たとえばレーザーによって細穴がカットされてもよい。
【００６３】
製造および化粧処理方法
上記とは無関係に、または上記と組み合わせて、本発明のさらなる主題は、上記で定義したアプリケータを製造するための方法であり、多孔質材料のブロックが、少なくとも前記第1および第2の互いに反対にある面を形成するために、少なくとも部分的なフェルト化処理を受ける。
【００６４】
上記とは無関係に、または上記と組み合わせて、本発明のさらなる主題は、少なくとも1つの多孔質材料から少なくとも部分的に作られた、化粧製品、特にクレンジングまたはケア製品用のアプリケータを製造するための方法であって、多孔質材料のブロックが、少なくとも
-  特に少なくとも部分的にオープンセル状である、第1の面と、
-  第1の面と反対側の、特に少なくとも部分的にオープンセル状である、第2の面と
を形成するために、
および
-  第1および第2の面によって区切られた内部部分
を形成するために、少なくとも部分的にフェルト化処理を受け、
このアプリケータは、一方の部分では、第1および第2の面のうちの少なくとも一方、さらに良好には両方の面と、他方の部分では、アプリケータの内部部分との間で、気孔率勾配を有する。
【００６５】
フェルト化処理は、処理される面により低い気孔率の「外皮」を得るように選ばれてもよい。前記外皮は、0.2mmから3mmの間、さらに良好には0.3mmから2mmの間、さらには0.5mmから1mmの間の厚さを有してもよい。
【００６６】
フェルト化処理は、少なくとも圧縮勾配の適用を含んでもよい。フェルト化処理は、10秒を超える、さらに良好には30秒を超える時間の間、適用されてもよい。フェルト化処理は、第1および第2の面の表面にわたって一様でなくてもよい。
【００６７】
アプリケータは、中心部分を囲む外縁部分を含んでもよく、中心部分はより広範なフェルト化処理を受け、特に外縁部分よりも、広範な圧縮を受けている。
【００６８】
第1および第2の面のうちの一方は、少なくとも部分的にフロック処理を受けていてもよい。
【００６９】
上記の方法を実施するために、材料のブロックにアプリケータのための所望の形状を与える型を使用してもよい。有利には、材料のブロックが、フェルト化処理の前に、使用される型よりも小さい幅であるとき、目に見える継目面のないアプリケータが得られる。
【００７０】
ブロックは、以下のリスト、すなわち円筒形、球形、平行六面体、立方体、台形、ピラミッド形から選ばれた初期形状を有してもよく、このリストは限定的ではない。特定の一実施形態では、ブロックは、円筒形の初期形状を有してもよい。ブロックは、フェルト化処理の前後に1つまたは複数のカットを受けてもよい。
【００７１】
本発明の別の主題は、その態様の別のものによれば、本発明によるアプリケータに化粧製品を装填するステップと、ヒトのケラチン物質、特に皮膚にそれを塗布するステップとを含む、化粧処理方法である。皮膚は、体の皮膚または顔の皮膚であってもよい。装填は、化粧製品の貯蔵器から、またはアプリケータの内部空洞内にある化粧製品から、行われてもよい。
【００７２】
本発明は、その非限定的例示的実施形態の次の詳細な説明を読むことにより、また添付図面を調べることにより、よりよく理解できよう。
【図面の簡単な説明】
【００７３】
【図１】本発明によるアプリケータの一例の斜視図である。
【図２】本発明によるアプリケータの一例の斜視図である。
【図３】矢印IIIに沿ったそれの図である。
【図３ａ】図1〜図4のアプリケータの概略的、部分的断面図である。
【図４】矢印IVに沿ったそれの図である。
【図５】変形実施形態の断面の図である。
【図６】そのための製造方法を示す図である。
【図７ａ】変形実施形態の斜視図である。
【図７ｂ】それの断面図である。
【図８ａ】変形実施形態の斜視図である。
【図８ｂ】それの断面図である。
【図９ａ】変形実施形態の斜視図である。
【図９ｂ】図9aのアプリケータを製造するために使用される材料のブロックを示す図である。
【発明を実施するための形態】
【００７４】
図1〜図4は、化粧製品、特にクレンジングまたはケア製品を塗布するための、円形の小石の全体形状を有する、本発明によるアプリケータ10を示す。アプリケータは、約25mmの高さh、および約35mmの直径dを有する。
【００７５】
アプリケータ10は、少なくとも1つの多孔質材料、説明する例ではポリウレタン(PU)フォームから作られ、第1の面11と、第1の面と反対側の第2の面12とを有し、第1の面11および第2の面12によって区切られた内部部分を有する。2つの面11および12は、塗布に役立つことができる。
【００７６】
第1および第2の面は非平面であり、各々が外側に向かって凸状である。
【００７７】
第1の面11および第2の面12は、多孔質材料の部分的なフェルト化処理から得られる。したがって、アプリケータは、一方の部分では、第1の面11および第2の面12と、他方の部分では、アプリケータの内部部分13との間で、気孔率勾配を有する。気孔率は、面11または12から、アプリケータの内部部分13の方向に増加する。
【００７８】
フェルト化処理は、処理された面11および面12に、より低い気孔率の「外皮」15を生成する。この外皮15は、たとえば1mmぐらいの厚さを有する。
【００７９】
内部部分13は、より高い気孔率を有し、材料の孔に製品の蓄えを形成することを可能にする。この場合、アプリケータは、内部空洞がなく、中実である。
【００８０】
変形態では、アプリケータは、図5に示すように、第1の面と第2の面との間の、内部部分に形成された内部空洞20を含んでもよい。
【００８１】
内部空洞は、空であって、単に空気で満たされていてもよい。
【００８２】
変形態では、アプリケータは、内部空洞20に入れられた化粧製品Cを含んでもよい。
【００８３】
図6は、そのようなアプリケータを製造するための方法を示す。化粧組成物Cを囲む多孔質材料Bの2つのブロックが、適切な形状を有する型30に置かれ、次いで、矢印Fで示されるように型30を閉じることによって、フェルト化処理が行われる。型30の形状を考慮すれば、フェルト化は、主にブロックBの縁部で行われ、それらを融合させ、内部空洞20が閉じられ、化粧製品Cが内部に閉じ込められるようにする。
【００８４】
図7a、図7b、図8a、および図8bに示されている変形実施形態では、アプリケータは、中心部分17を囲む外縁部分16を含み、中心部分17は、外縁部分16よりも広範なフェルト化処理を受けている。外縁部分16は、必要な場合、フェルト化処理を受けないことさえ可能である。
【００８５】
中心部分はしたがって、たとえば1mmぐらいの厚さfをもつ平面壁の形状を有する。
【００８６】
図7aおよび図7bの実施形態では、アプリケータの輪郭は、円形形状を有し、図8aおよび図8bの実施形態では、それは三角形状を有する。
【００８７】
図9aのアプリケータを製造するために、材料のブロックBにアプリケータのための所望の形状を与える型が使用されてもよい。ブロックBは、図9bに示すように、最初の円筒形状を有してもよい。
【００８８】
図9aのアプリケータ10は、中心平面壁17と、またペタル(petal)19の形のへりとを含む。説明する例では、このアプリケータは、平面壁の形の中心部分17の外縁の周りに規則的に配分された4つのペタル19を含む。中心部分17は、実質的に正方形を有し、1つのペタル19が正方形の縁部の各々に取り付けられる。
【００８９】
本発明は、示した例に限定されない。
【００９０】
たとえば、アプリケータは、異なる全体形状で、またはたとえば体もしくは顔の異なる領域の処理のためにさらなる突起もしくはくぼみを有して、製造されてもよい。
【００９１】
この場合、第1および第2の面のうちの一方、または両方が、凹ゾーンおよび凸ゾーンを含んでもよい。アプリケータは、異なる形状をもつレリーフを画定してもよい。フェルト化処理は、第1および第2の面の表面にわたって一様でなくてもよい。したがって、より多くまたはより少なく「フェルト化」されたゾーンを得ることができる。
【００９２】
図示していない変形実施形態では、アプリケータは、たとえば卵形状、平行六面体、またはピラミッド形状であってもよい。
【符号の説明】
【００９３】
10  アプリケータ
11  第1の面
12  第2の面
13  内部部分
15  外皮
16  外縁部分
17  中心部分
19  ペタル
20  内部空洞
30  型
【図１】
2019521818.tif 000003
【図２】
2019521818.tif 000004
【図３】
2019521818.tif 000005
【図３ａ】
2019521818.tif 000006
【図４】
2019521818.tif 000007
【図５】
2019521818.tif 000008
【図６】
2019521818.tif 000009
【図７ａ】
2019521818.tif 000010
【図７ｂ】
2019521818.tif 000011
【図８ａ】
2019521818.tif 000012
【図８ｂ】
2019521818.tif 000013
【図９ａ】
2019521818.tif 000014
【図９ｂ】
2019521818.tif 000015
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
少なくとも1つの多孔質材料から少なくとも部分的に作られた、化粧製品(C)、特にクレンジングまたはケア製品用のアプリケータ(10)であって、
-  特に少なくとも部分的にオープンセル状である、第1の面(11)と、
-  前記第1の面(11)と反対側の、特に少なくとも部分的にオープンセル状である、第2の面(12)と、
-  前記第1および第2の面によって区切られた内部部分(13)と
を含み、
前記第1および第2の面のうちの少なくとも一方、さらに良好には両方の面が、前記多孔質材料の少なくとも部分的なフェルト化処理から生じ、
前記アプリケータが、一方の部分では、前記第1および第2の面(11、12)のうちの少なくとも一方、さらに良好には両方の面と、他方の部分では、前記アプリケータの前記内部部分(13)との間で、気孔率勾配を有し、
前記第1および第2の面(11、12)が非平面である、
アプリケータ。
【請求項２】
前記アプリケータが、前記第1の面(11)において、前記第1の面(11)と前記アプリケータの前記内部部分(13)との間に気孔率勾配を有する、請求項1に記載のアプリケータ。
【請求項３】
前記アプリケータが、前記第2の面(12)において、前記第2の面(12)と前記アプリケータの前記内部部分(13)との間に気孔率勾配を有する、請求項1または2に記載のアプリケータ。
【請求項４】
前記第1の面(11)および前記第2の面(12)のうちの少なくとも一方、さらに良好には両方の面が、少なくとも部分的にオープンセル状である、請求項1から3のいずれか一項に記載のアプリケータ。
【請求項５】
前記アプリケータが小石の形状である、請求項1から4のいずれか一項に記載のアプリケータ。
【請求項６】
前記第1および第2の面(11、12)が、一様でないフェルト化処理を受けている、請求項1から5のいずれか一項に記載のアプリケータ。
【請求項７】
前記第1および第2の面(11、12)のうちの少なくとも一方が、少なくとも1つのレリーフ、特に英数字形状のレリーフを含む、請求項1から6のいずれか一項に記載のアプリケータ。
【請求項８】
中心部分(17)を囲む外縁部分(16)を含み、前記中心部分(17)がオープンセルを有しない、または前記外縁部分(16)よりも少ないオープンセルを有し、前記中心部分(17)が、特に0.5mmから3mmの間、さらに良好には0.5mmから2mmの間の厚さ(f)をもつ、平面壁の形であってもよい、請求項1から7のいずれか一項に記載のアプリケータ。
【請求項９】
前記外縁部分(16)が、円形、楕円形、または多角形、特に三角形、長方形、もしくは正方形の全体形状をもつ輪郭を有する、請求項8に記載のアプリケータ。
【請求項１０】
前記アプリケータの前記材料のうちの少なくとも1つが、ポリウレタン(PU)である、請求項1から9のいずれか一項に記載のアプリケータ。
【請求項１１】
前記第1の面(11)と前記第2の面(12)との間の、前記内部部分(13)に形成された内部空洞(20)を含み、前記アプリケータが、前記内部空洞(20)に入れられた化粧製品(C)を含んでもよい、請求項1から10のいずれか一項に記載のアプリケータ。
【請求項１２】
多孔質材料のブロック(B)が、少なくとも前記第1および第2の互いに反対側にある面(11、12)を形成するために、少なくとも部分的なフェルト化処理を受ける、請求項1から11のいずれか一項に記載のアプリケータ(10)を製造するための方法。
【請求項１３】
少なくとも1つの多孔質材料から少なくとも部分的に作られた、化粧製品、特にクレンジングまたはケア製品用のアプリケータ(10)を製造するための方法であって、多孔質材料のブロック(B)が、少なくとも
-  特に少なくとも部分的にオープンセル状である、第1の面(11)と、
-  前記第1の面(11)と反対側の、特に少なくとも部分的にオープンセル状である、第2の面(12)と
を形成するために、および
-  前記第1および第2の面によって区切られた内部部分(13)
を形成するために、少なくとも部分的なフェルト化処理を受け、
前記アプリケータが、一方の部分では、前記第1および第2の面(11、12)のうちの少なくとも一方、さらに良好には両方の面と、他方の部分では、前記アプリケータの前記内部部分(13)との間で、気孔率勾配を有する、
方法。
【請求項１４】
前記フェルト化処理が、少なくとも温度勾配および/または圧縮勾配の適用を含み、前記フェルト化処理が、10秒を超える、さらに良好には30秒を超える時間の間、適用されてもよい、請求項12または13に記載の方法。
【請求項１５】
前記フェルト化処理が、前記第1および第2の面(11、12)の表面にわたって一様でなく、前記アプリケータが、中心部分(17)を囲む外縁部分(16)を含んでもよく、前記中心部分(17)が、前記外縁部分(16)よりも広範なフェルト化処理を受けている、請求項12から14のいずれか一項に記載の方法。
【国際調査報告】
2019521818.tif 000016
2019521818.tif 000017
2019521818.tif 000018